(57)【要約】【課題】  本発明は釣り用バッグに関し、バッグ本体の収納口を開閉する外蓋と内蓋を備えた釣り用バッグに改良を加え、外蓋だけを開けたり、外蓋と共に内蓋を開ける作業を選択して容易に行うことができる釣り用バッグを提供することを目的とする。【解決手段】  請求項１に係る発明は、上部に収納口が開口するバッグ本体と、該収納口を開閉する内蓋と外蓋とを備えた釣り用バッグに於て、前記内蓋に、該内蓋を開閉する取っ手を設けると共に、該取っ手を、外蓋の外側に突出させたことを特徴とする。  そして、請求項２に係る発明は、請求項１に記載の釣り用バッグに於て、前記外蓋と内蓋は、その一側側がバッグ本体に取り付けられていることを特徴とし、請求項３に係る発明は、請求項２に記載の釣り用バッグに於て、前記外蓋と内蓋は、同じ一側側がバッグ本体に取り付けられていることを特徴とする。【選択図】    図３
2008206432.tif 000002
【特許請求の範囲】
【請求項１】
上部に収納口が開口するバッグ本体と、該収納口を開閉する内蓋と外蓋とを備えた釣り用バッグに於て、
前記内蓋に、該内蓋を開閉する取っ手を設けると共に、該取っ手を、外蓋の外側に突出させたことを特徴とする釣り用バッグ。
【請求項２】
前記外蓋と内蓋は、その一側側がバッグ本体に取り付けられていることを特徴とする請求項１に記載の釣り用バッグ。
【請求項３】
前記外蓋と内蓋は、同じ一側側がバッグ本体に取り付けられていることを特徴とする請求項２に記載の釣り用バッグ。
【請求項４】
前記外蓋は、内蓋を開くときに前記取っ手に保持されて該内蓋と共に開くことを特徴とする請求項１乃至請求項３のいずれか１項に記載の釣り用バッグ。
【請求項５】
前記外蓋と、内蓋に設けた取っ手は、互いに係合する係合部を有していることを特徴とする請求項１乃至請求項４のいずれか１項に記載の釣り用バッグ。
【請求項６】
前記内蓋は、上方側に収納部を有していることを特徴とする請求項１乃至請求項５のいずれか１項に記載の  釣り用バッグ。
【請求項７】
上部に収納口が開口するバッグ本体と、該収納口を開閉する内蓋と外蓋とを備えた釣り用バッグに於て、
前記内蓋に、該内蓋を前記外蓋と共に開閉する取っ手を設けたことを特徴とする釣り用バッグ。
【発明の詳細な説明】
【技術分野】
【０００１】
本発明は、釣具等を収納して釣場に持ち運ぶ釣り用バッグに関する。
【背景技術】
【０００２】
従来から釣り用バッグは、釣具等を収納する容器として使用されており、多くの釣り用バッグは、柔軟で防水性を有する合成樹脂シートで上部に収納口が開口する箱状のバッグ本体（容器本体）が形成されて、当該収納口全体を蓋体で開閉可能に覆った構造が一般的である。
そして、釣具等を収納した釣り用バッグを釣場に持ち運び、必要に応じて釣具等を取り出し、不要となった物を釣り用バッグ内に戻すこととなるが、従来、この種の釣り用バッグには、バッグ本体の収納口を開閉する外蓋と内蓋を備えたものが知られており、外蓋と内蓋を設けることで、例えば、使用して汚れたり濡れたりした釣具をバッグ本体の中に入れた後、外蓋と内蓋の間に汚れていない他の釣具を収納して携帯することができる。
【０００３】
しかし、このような釣り用バッグは、外蓋を開けてから更に内蓋を開くという２度の動作が必要となる。
そこで、特許文献１には、図１７に示すように外蓋１の下面側と内蓋３の上面側に夫々面ファスナー５，７を取り付けた釣り用バッグ９が開示されており、外蓋１と内蓋３とを面ファスナー５，７で接合するとこれらを一度に開閉でき、また、接合された外蓋１と内蓋３を離間する方向に引き離せば、これらが分離するようになっている。
【０００４】
そして、一方の面ファスナー７は折り畳み可能に取り付けられており、面ファスナー７を折り畳んで面ファスナー７のファスナー面を隠蔽すると、外蓋１と内蓋３が接合不能となって外蓋１と内蓋３を別々に開閉することができるようになっている。
【特許文献１】特開２００３−２５９７８４号公報
【発明の開示】
【発明が解決しようとする課題】
【０００５】
しかし、前記釣り用バッグ９は、外蓋１と内蓋３を面ファスナー５，７で接合したり接合を解除し、また、面ファスナー７を折り畳んで外蓋１と内蓋３を接合不能とするが、実釣時にこれらの作業は面倒である。
また、外蓋１と内蓋３との間に釣具等を収納した場合、面ファスナー５，７同士の接合がし難く、更に、外蓋１と内蓋３との間に収納できる釣具の量も限られてしまう欠点がある。
【０００６】
そして、外蓋１と内蓋３を一度接合するとこれらが共に開閉するため、外蓋１だけを開けたり、外蓋１と共に内蓋３を開ける操作を選択して容易に行うことができなかった。
本発明は斯かる実情に鑑み案出されたもので、バッグ本体の収納口を開閉する外蓋と内蓋を備えた釣り用バッグに改良を加え、外蓋だけを開けたり、外蓋と共に内蓋を開ける作業を選択して容易に行うことができる釣り用バッグを提供することを目的とする。
【課題を解決するための手段】
【０００７】
斯かる目的を達成するため、請求項１に係る発明は、上部に収納口が開口するバッグ本体と、該収納口を開閉する内蓋と外蓋とを備えた釣り用バッグに於て、前記内蓋に、該内蓋を開閉する取っ手を設けると共に、該取っ手を、外蓋の外側に突出させたことを特徴とする。
そして、請求項２に係る発明は、請求項１に記載の釣り用バッグに於て、前記外蓋と内蓋は、その一側側がバッグ本体に取り付けられていることを特徴とし、請求項３に係る発明は、請求項２に記載の釣り用バッグに於て、前記外蓋と内蓋は、同じ一側側がバッグ本体に取り付けられていることを特徴とする。
【０００８】
また、請求項４に係る発明は、請求項１乃至請求項３のいずれか１項に記載の釣り用バッグに於て、前記外蓋は、内蓋を開くときに前記取っ手に保持されて該内蓋と共に開くことを特徴とし、請求項５に係る発明は、請求項１乃至請求項４のいずれか１項に記載の釣り用バッグに於て、前記外蓋と、内蓋に設けた取っ手は、互いに係合する係合部を有していることを特徴としている。
【０００９】
更に、請求項６に係る発明は、請求項１乃至請求項５のいずれか１項に記載の釣り用バッグに於て、前記内蓋は、上方側に収納部を有していることを特徴とする。
そして、請求項７に係る発明は、上部に収納口が開口するバッグ本体と、該収納口を開閉する内蓋と外蓋とを備えた釣り用バッグに於て、前記内蓋に、該内蓋を前記外蓋と共に開閉する取っ手を設けたことを特徴とする。
【発明の効果】
【００１０】
各請求項に係る発明によれば、従来に比し、外蓋だけの開放または外蓋と内蓋の同時開放の操作を選択して容易に行うことが可能となった。
そして、請求項６に係る発明によれば、従来に比し内蓋の収納部により多くの釣具が収納でき、また、収納部に収納した釣具の存在によって外蓋と内蓋の同時開放に支障を来す虞がない。
【発明を実施するための最良の形態】
【００１１】
以下、本発明の実施形態を図面に基づいて詳細に説明する。
図１乃至図６は請求項１乃至請求項７に係る釣り用バッグの第一実施形態を示し、図中、１１はエチレン酢酸ビニルやポリウレタン等の合成樹脂シート１３で形成された防水性を有するバッグ本体で、図３及び図４に示すようにバッグ本体１１は、底部１５と４つの側壁部１７，１９，２１，２３とでボックス状に形成されて内部を収納部とし、上部に収納口２５が開口している。そして、図４に示すように該収納口２５の周縁部、即ち、前後の側壁部１７，２１と左右の側壁部１９，２３を構成する合成樹脂シート１３の上部は、金属や合成樹脂で形成された平面視矩形状のフレーム２７で外側に折り返されて、夫々の折返し片２９が、各側壁部１７，１９，２１，２３の外側にウエルダ加工等によって接合されている。
【００１２】
従って、収納口２５の周縁部は材料自体の特性によって可撓性，柔軟性を有すると共に、フレーム２７によってバッグ本体１１の強度アップと収納口２５の形状保持が図られている。
そして、図４に示すように背面側の側壁部２１の折返し部３１に、収納口２５を開閉する内蓋３３が可撓性を有する合成樹脂シートのヒンジ部材３５を介して連結され、更に、収納口２５を閉塞する内蓋３３の上方からバケツ本体１１の収納口２５を覆う外蓋３７が、同じく合成樹脂シートからなるヒンジ部材３９を介して背面側の側壁部２１の上部外周に連結されている。
【００１３】
内蓋３３と外蓋３７はバケツ本体１１と同一材料で形成され、図２乃至図５に示すように内蓋３３は、底部４１と該底部４１の周縁部に沿って上方に突出する４つの周壁部４３，４５，４７，４９とでバケツ本体１１の収納口２５に対応した皿状に形成されており、背面側の周壁部４７とバケツ本体１１（折返し部３１）とが前記ヒンジ部材３５で連結されている。そして、４つの周壁部４３，４５，４７，４９で囲繞された底部４１の上部が、小物の釣具類を収納する収納部５１となっている。
【００１４】
そして、図２乃至図４に示すように内蓋３３の正面側の周壁部４３に、左右一対の同一形状の取っ手５３が、外蓋３７の外側に突出して一体形成されている。
図４に示すように取っ手５３は、側壁部１７の上部の折返し部（開口縁部）５５に係合する第１の係合部５７と、後述する外蓋３７のスカート部５９が係合する第２の係合部６１を有する断面クランク状に形成されており、折返し部（開口縁部）５５に第１の係合部５７が係合して、収納口２５を閉塞する内蓋３３の保持が図られている。そして、図６の如く折返し部（開口縁部）５５と係合部５７との係合を解除し乍ら内蓋３３を矢印方向へ開けると、収納口２５が開放するようになっている。
【００１５】
尚、図２及び図５に示すように、折返し部（開口縁部）５５に係合部５７が係合して収納口２５が内蓋３３で閉塞された際に、４つの周壁部４３，４５，４７，４９の上縁部と収納口２５の上縁部とが一致するように、周壁部４３，４５，４７，４９の高さが設定されている。
一方、内蓋３３の上方からバッグ本体１１の収納口２５を覆う外蓋３７の周縁部には、外蓋３７を収納口２５に被せた際（外蓋３７による収納口２５の閉鎖時）に、バッグ本体１１の上部外周を覆うスカート部（側壁）５９が該外周に沿って下方に向けて延設されており、背面側のスカート部５９とバケツ本体１１（側壁部２１の上部外周）とが前記ヒンジ部材３９で連結されている。
【００１６】
更に、図４乃至図６に示すようにスカート部５９の下端部に沿って厚肉な断面円形状の凸部６３が形成されると共に、該凸部６３に対応して前記係合部６１の奥部に該凸部６３が係合可能な凹部６５が形成されており、凸部６３が凹部６５に係合して係合部６１からのスカート部５９の不用意な脱落防止が図られている。
そして、図１に示すように正面側のスカート部５９（ヒンジ部材３９の反対側）の中央に、可撓性を有する合成樹脂シートで形成されたベルト状の止め具６７が上下方向に取り付けられており、この止め具６７は収納口２５を覆う外蓋３７の保持部材として機能すると共に、外蓋開閉の操作部材として機能するもので、図２に示すように止め具６７の裏面側に面ファスナー６９が貼着されている。
【００１７】
また、面ファスナー６９に対応して側壁部１７の外周に面ファスナー７１が貼着されており、図１の如く内蓋３３の上方から外蓋３７でバッグ本体１１の収納口２５を覆って両面ファスナー６９，７１を接合することで、収納口２５を覆う外蓋３７を保持することができるようになっている。
そして、折返し部（開口縁部）５５に取っ手５３の第１の係合部５７を係合させて収納口２５を内蓋３３で閉塞し、内蓋３３の上方から外蓋３７でバッグ本体１１の収納口２５を覆って両面ファスナー６９，７１を接合すると、図１及び図４に示すように釣り用バッグ７５は内蓋３３と外蓋３７とで完全に閉じられる。
【００１８】
而して、斯かる状態で、図５の如く両面ファスナー６９，７１同士の接合を解除し、止め具６７またはスカート部５９に手を掛けて、外蓋３７のスカート部５９及び凸部６３と取っ手５３側の係合部６１と凹部６５との係合状態を解除し乍ら、ヒンジ部材３９を回転中心に回動して外蓋３７を矢印方向へ開けると、図２の如く外蓋３７が完全に開いて内蓋３３の上部の収納部５１が現れ、更に、斯かる状態で取っ手５３に手を掛けて折返し部（開口縁部）５５と係合部５７との係合を解除し乍ら、図３の如くヒンジ部材３５を回転中心に回動して内蓋３３を開けると、収納口２５が完全に開放されるようになっている。
【００１９】
また、図１及び図４の如く内蓋３３と外蓋３７とで収納口２５が完全に閉じられた状態で、図６に示すように外蓋３７の外側に突出する取っ手５３に手を掛けて折返し部（開口縁部）５５と係合部５７との係合を解除し乍ら、ヒンジ部材３５を回転中心に内蓋３３を矢印方向へ開けると、取っ手５３に外蓋３７が係合したまま外蓋３７が内蓋３３と共に開いて、収納口２５が完全に開放されるようになっている。
【００２０】
尚、内蓋３３と外蓋３７の回転中心となるヒンジ部材３５，３９は共に内蓋３３と外蓋３７の背面側に設けられ、また、バッグ本体１１の背面側の側壁部２１（上部の折返し部（開口縁部）５５側）に取り付けられているため、内蓋３３と外蓋３７は共に同じ方向に回動して良好に開閉することかできる。
その他、図１中、７３は側壁部１９，２３間に架け渡したショルダーベルトである。
【００２１】
本実施形態に係る釣り用バッグ７５はこのように構成されているから、バッグ本体１１内や内蓋３３の収納部５１に釣具等を収納して、図１及び図４の如く釣り用バッグ７５を内蓋３３と外蓋３７とで完全に閉じて釣場に携帯した後、例えば内蓋３３の収納部５１に収納した釣具を取り出す際には、図５の如く両面ファスナー６９，７１の接合を解除し、止め具６７またはスカート部５９に手を掛けて外蓋３７のスカート部５９及び凸部６３と取っ手５３側の係合部６１と凹部６５との係合状態を解除し乍ら、ヒンジ部材３９を回転中心に外蓋３７を矢印方向へ開ければ、図２の如く内蓋３３の収納部５１が現れて釣具が取り出せる。
【００２２】
このとき、折返し部（開口縁部）５５に取っ手５３の係合部５７が係合しているため、内蓋３３は収納口２５を閉塞したままである。
また、斯かる状態で取っ手５３に手を掛けて折返し部（開口縁部）５５と係合部５７との係合を解除し乍ら、図３の如くヒンジ部材３５を回転中心に内蓋３３を開ければ、収納口２５が完全に開放されてバッグ本体１１内に収納した釣具が取り出せる。
【００２３】
そして、内蓋３３を閉じるには、図５の如く取っ手５３の係合部５７をバッグ本体１１の上部の折返し部（開口縁部）５５に係合させればよく、この後、外蓋３７を閉じるには、図４に示すようにスカート部５９を取っ手５３の係合部６１に係合して、その下端部の凸部６３を係合部６１の凹部６５に係合させた後、両面ファスナー６９，７１同士を接合すればよい。
【００２４】
また、図１の如く内蓋３３と外蓋３７とで収納口２５が完全に閉じられた状態で、バッグ本体１１内に収納した釣具を取り出すには、図６の如く両面ファスナー６９，７１の接合を解除し、取っ手５３に手を掛けて折返し部（開口縁部）５５と係合部５７との係合を解除し乍ら、ヒンジ部材３５を回転中心に内蓋３３を矢印方向へ開ければ、取っ手５３に外蓋３７が係合したまま外蓋３７が内蓋３３と共に開いて、収納口２５が完全に開放される。
【００２５】
そして、収納口２５を閉めるには、内蓋３３を戻して図４の如く取っ手５３の係合部５７をバッグ本体１１の折返し部（開口縁部）５５に係合させればよく、この一連の作業時に外蓋３７は取っ手５３に係合して内蓋３３から外れることがない。
このように本実施形態によれば、止め具６７やスカート部５９に手を掛ければ外蓋３７だけを開けることができ、また、取っ手５３に手を掛ければ外蓋３７と共に内蓋３３を開けることが可能で、図１７の従来例に比し、外蓋３７だけの開放または外蓋３７と内蓋３３の同時開放の操作を選択して容易に行うことが可能となった。
【００２６】
また、本実施形態によれば、図１７の従来例に比し、内蓋３３の収納部５１により多くの釣具が収納でき、収納部５１に収納した釣具の存在によって外蓋３７と内蓋３３の同時開放に支障を来す虞もない。
図７乃至図１２は請求項１乃至請求項７に係る釣り用バッグの第二実施形態を示し、以下、本実施形態を図面に基づいて説明するが、前記実施形態と同一のものには同一符号を付してそれらの説明は省略する。
【００２７】
図７及び図８に於て、３７-1は前記外蓋３７と同様、周縁部にスカート部５９が形成された外蓋で、背面側のスカート部５９とバケツ本体１１（側壁部２１の上部外周）とがヒンジ部材３９で連結されている。
尚、本実施形態も、内蓋３３-1と外蓋３７-1を可撓性部材のヒンジ部材３５，３９を介してバッグ本体１１に取り付けたが、回動軸からなるヒンジ部材を用いてもよい。また、ヒンジ部材を用いなくても、内蓋３３-1と外蓋３７-1をバッグ本体１１に回動して収納口２５を開閉できるように直接取り付けてもよい。
【００２８】
このように内蓋３３-1と外蓋３７-1は、バッグ本体１１に対しこれら回動部を介して回動可能に取り付けられていればよい。
更に、内蓋３３-1と外蓋３７-1のいずれか一方がバッグ本体１１に回動部を介して回動自在に取り付けられていれば、他方の蓋を一方の蓋に回動部を介して回動自在に取り付けることで、一方の蓋を介して他方の蓋をバッグ本体１１に対して回動して開閉することができ、このような構成も、内蓋３３-1と外蓋３７-1を回動部を介してバッグ本体１１に取り付けたものとする。
【００２９】
そして、正面側のスカート部５９の左右に、夫々、裏面側に面ファスナー６９が貼着された止め具６７が取り付くと共に、両面ファスナー６９に対応して側壁部１７の外周に２つの面ファスナー７１が貼着されており、図７及び図１０の如く後述する内蓋３３-1の上方から外蓋３７-1でバッグ本体１１の収納口２５を覆って両面ファスナー６９，７１を夫々接合すると、収納口２５を覆う外蓋３７-1を保持することができるようになっている。
【００３０】
また、図８乃至図１２に於て、３３-1は前記内蓋３３と同様、バケツ本体１１の収納口２５に対応して皿状に形成された内蓋で、背面側の周壁部４７とバケツ本体１１（折返し部３１）とがヒンジ部材３５で連結されており、４つの周壁部４３，４５，４７，４９で囲繞された底部４１の上部が収納部５１とされている。
そして、図示するように本実施形態は、図１の左右一対の取っ手５３に代え、内蓋３３-1の正面側の周壁部４３の中央に、合成樹脂で形成された１個の取っ手７７を外蓋３７-1の外側に突出させて取り付けたことを特徴とする。
【００３１】
取っ手７７は、周壁部４３に沿って配された円柱状の握持部７９と、該握持部７９の両側に延びる左右の支持杆８１とからなり、図１０に示すように左右の支持杆８１の一端側８３は、夫々、内蓋３３-1の周壁部４３の内側に沿って固着されている。そして、支持杆８１は、夫々の中間部分が側壁部１７の折返し部（開口縁部）５５に係合する第１の係合部８５と、外蓋３７-1のスカート部５９が係合する第２の係合部８７とからなる断面クランク状に形成されており、他端側は周壁部４３に沿って屈曲されて前記握持部７９が取り付けられた構造となっている。
【００３２】
また、図７及び図１０に示すように外蓋３７-1の正面側のスカート部５９の下端部には、前記支持杆８１に対応して２つの係合部８９が上下方向に切り欠かれており、図７の如く内蓋３３-1の上方から収納口２５を外蓋３７-1で覆うと、夫々の係合部８９に支持杆８１が係合するようになっている。
尚、図示しないが前記係合部８９は正面視鍵穴形状とされて、開口側が狭く奥が広がって支持杆８１が保持できる構造となっている。但し、この係合部８９は省略してもよい。
【００３３】
本実施形態に係る釣り用バッグ９１はこのように構成されているから、バッグ本体１１内や内蓋３３-1の収納部５１に釣具等を収納して、図７及び図１０の如く釣り用バッグ９１を内蓋３３-1と外蓋３７-1とで完全に閉じて釣場に携帯した後、例えば内蓋３３-1の収納部５１に収納した釣具を取り出す際には、図１１の如く両面ファスナー６９，７１の接合を解除し、止め具６７またはスカート部５９に手を掛けて、係合部８９と支持杆８１及び外蓋３７-1のスカート部５９と取っ手７７側の係合部８７との係合状態を夫々解除し乍ら、ヒンジ部材３９を回転中心に外蓋３７-1を矢印方向へ開けば、図８の如く内蓋３３-1の収納部５１が現れ、釣具が取り出せる。
【００３４】
このとき、折返し部（開口縁部）５５と取っ手７７の係合部８５とが係合しているため、内蓋３３-1は収納口２５を閉塞したままである。
更に、斯かる状態で取っ手７７の握持部７９に手を掛けて折返し部（開口縁部）５５と係合部８５との係合を解除し乍ら、図９の如くヒンジ部材３５を回転中心に内蓋３３-1を開ければ、収納口２５が完全に開放されてバッグ本体１１内に収納した釣具が取り出せる。
【００３５】
そして、内蓋３３-1を閉じるには、図１１の如く取っ手７７の係合部８５をバッグ本体１１の折返し部（開口縁部）５５に係合させればよく、この後、外蓋３７-1を閉じるには、図１０に示すようにスカート部５９を取っ手７７の係合部８７に係合して、両面ファスナー６９，７１同士を接合すればよい。
また、図７の如く内蓋３３-1と外蓋３７-1とで収納口２５が完全に閉じられた状態で、バッグ本体１１内に収納した釣具を取り出すには、図１２の如く両面ファスナー６９，７１の接合を解除した後、取っ手７７の握持部７９に手を掛けて折返し部（開口縁部）５５と係合部８５との係合を解除し乍ら、ヒンジ部材３５を回転中心に内蓋３３-1を矢印方向へ開ければ、取っ手７７に外蓋３７-1が係合し、且つ取っ手７７の支持杆８１がスカート部５９の係合部８９に係合しているため、外蓋３７-1が内蓋３３-1と共に開いて収納口２５が完全に開放される。
【００３６】
そして、収納口２５を閉めるには、内蓋３３-1を戻して、図１０の如く取っ手７７の係合部８５をバッグ本体１１の折返し部（開口縁部）５５に係合させればよく、この一連の作業時に外蓋３７-1は内蓋３３-1から外れることがない。
このように本実施形態に係る釣り用バッグ９１によっても、前記釣り用バッグ７５と同様、所期の目的を達成することが可能で、外蓋３７-1だけの開放または外蓋３７-1と内蓋３３-1の同時開放の操作を選択して容易に行うことが可能となった。
【００３７】
また、本実施形態も、図１７の従来例に比し、内蓋３３-1の収納部５１により多くの釣具が収納でき、収納部５１に収納した釣具の存在によって外蓋３７-1と内蓋３３-1の同時開放に支障を来す虞もない。
図１３乃至図１６は請求項１乃至請求項７に係る釣り用バッグの第三実施形態を示し、本実施形態は、図７の取っ手７７に代え、これをベルト状の柔軟性を有する材料からなる取っ手にしたものである。
【００３８】
以下、本実施形態を図面に基づいて説明すると、図に於て、３７-2は前記外蓋３７と同様、周縁部にスカート部５９が形成された外蓋で、背面側のスカート部５９とバケツ本体１１（側壁部２１の上部外周）とがヒンジ部材３９で連結されている。そして、正面側のスカート部５９の左右に、夫々、止め具６７が取り付くと共に、止め具６７の両面ファスナー６９に対応して側壁部１７の外周に面ファスナー７１が貼着されている。
【００３９】
また、図１３及び図１４に示すように正面側のスカート部５９の中央の下端部には、後述する取っ手９３の係合部（切欠き）９５が切り欠かれており、該係合部９５は開口側が狭く、奥が取っ手９３の横幅と同一寸法に形成されて取っ手９３が係合できる形状とされている。
一方、図１４乃至図１６に於て、３３-2は前記内蓋３３と同様、バケツ本体１１の収納口２５に対応して形成された皿状の内蓋で、背面側の周壁部４７とバケツ本体１１（折返し部３１）とがヒンジ部材３５で連結され、４つの周壁部４３，４５，４７，４９で囲繞された底部４１の上部が収納部５１とされている。
【００４０】
そして、図１４に示すように前記係合部９５に対応して正面側の周壁部４３の中央に、バッグ本体１１の折返し部（開口縁部）５５の上部に当接可能な突片９７が外方へ延設され、更に、該突片９７上に、前記止め具６７より厚肉な合成樹脂製の可撓性を有するベルト状の取っ手９３が固着されており、前記係合部９５に取っ手９３を係合させて上方へ折り返すと、取っ手９３が外蓋３７-2の外側に突出するようになっている。
【００４１】
また、取っ手９３の先端側には、外蓋３７-2の表面に貼着した面ファスナー９９に接合する面ファスナー１０１が貼着されており、図１４の如く係合部９５に係合させた取っ手９３を上方へ折り返して面ファスナー９９，１０１を接合させると、取っ手９３を上方へ折り返して形成される係合部１０３にスカート部５９が係合し、更にまた、取っ手９３と突片９７，周壁部４３とで形成される係合部１０５に折返し部（開口縁部）５５が係合されるようになっている。
【００４２】
本実施形態に係る釣り用バッグ１０７はこのように構成されているから、バッグ本体１１内や内蓋３３-2の収納部５１に釣具等を収納し、図１３及び図１４の如く釣り用バッグ１０７を内蓋３３-2と外蓋３７-2とで完全に閉じて釣場に携帯した後、例えば内蓋３３-2の収納部５１に収納した釣具を取り出す場合には、先ず、両面ファスナー６９，７１及び面ファスナー９９，１０１の接合を解除し、取っ手９３を係合部９５から外す。これにより、係合部１０３とスカート部５９との係合状態が解除されるので、図１５に示すように止め具６７またはスカート部５９に手を掛けて、ヒンジ部材３９を回転中心に外蓋３７-2を矢印方向へ開ければ、外蓋３７-2が完全に開いて内蓋３３-2の収納部５１が現れ、釣具が取り出せる。
【００４３】
このとき、折返し部（開口縁部）５５に係合部１０５が係合しているため、内蓋３３-2は収納口２５を閉塞したまま収納口２５に保持される。
更に、斯かる状態で取っ手９３に手を掛けてヒンジ部材３５を回転中心に内蓋３３-2を開ければ、収納口２５が完全に開放されてバッグ本体１１内に収納した釣具が取り出せる。
【００４４】
そして、内蓋３３-2を閉じるには、内蓋３３-2を戻して突片９７をバッグ本体１１の折返し部（開口縁部）５５に当接させればよく、この後、外蓋３７-2を閉じるには、外蓋３７-2を戻して取っ手９３を係合部９５に係合し、両面ファスナー６９，７１及び面ファスナー９９，１０１同士を接合すればよい。
また、図１３の如く内蓋３３-2と外蓋３７-2とで収納口２５が完全に閉じられた状態で、バッグ本体１１内に収納した釣具を取り出すには、図１６の如く両面ファスナー６９，７１及び面ファスナー９９，１０１の接合を解除した後、取っ手９３を介して内蓋３３-2を矢印方向へ開ければ、取っ手９３の係合０３に外蓋３７-2が係合しているため、外蓋３７-2が内蓋３３-2と共に開いて収納口２５が完全に開放される。
【００４５】
そして、収納口２５を閉めるには、内蓋３３-2を戻して図１４の如く両面ファスナー６９，７１及び面ファスナー９９，１０１同士を接合すればよく、この一連の作業時に、外蓋３７-2は内蓋３３-2から外れることがない。
尚、取っ手９３はベルト状にしたが、Ｕ字状に形成する等、様々な形状にできる。
このように本実施形態に係る釣り用バッグ１０７によっても、既述した釣り用バッグ７５，９１と同様、所期の目的を達成することが可能で、外蓋３７-2だけの開放または外蓋３７-2と内蓋３３-2の同時開放の操作を選択して容易に行うことが可能となった。
【００４６】
また、本実施形態に於ても、図１７の従来例に比し、内蓋３３-2の収納部５１により多くの釣具が収納でき、収納部５１に収納した釣具の存在によって外蓋３７-2と内蓋３３-2の同時開放に支障を来す虞がない。
【図面の簡単な説明】
【００４７】
【図１】請求項１乃至請求項７の第一実施形態に係る釣り用バッグの全体斜視図である。
【図２】外蓋を開いた釣り用バッグの全体斜視図である。
【図３】外蓋と内蓋を開いた釣り用バッグの全体斜視図である。
【図４】外蓋と内蓋を閉じた釣り用バッグの断面図である。
【図５】外蓋を開いた釣り用バッグの断面図である。
【図６】外蓋と内蓋を開いた釣り用バッグの断面図である。
【図７】請求項１乃至請求項７の第二実施形態に係る釣り用バッグの全体斜視図である。
【図８】外蓋を開いた釣り用バッグの全体斜視図である。
【図９】外蓋と内蓋を開いた釣り用バッグの全体斜視図である。
【図１０】外蓋と内蓋を閉じた釣り用バッグの断面図である。
【図１１】外蓋を開いた釣り用バッグの断面図である。
【図１２】外蓋と内蓋を開いた釣り用バッグの断面図である。
【図１３】請求項１乃至請求項７の第三実施形態に係る釣り用バッグの全体斜視図である。
【図１４】外蓋と内蓋を閉じた釣り用バッグの断面図である。
【図１５】外蓋を開いた釣り用バッグの断面図である。
【図１６】外蓋と内蓋を開いた釣り用バッグの断面図である。
【図１７】従来の釣り用バッグの全体斜視図である。
【符号の説明】
【００４８】
１１  バッグ本体
１３  合成樹脂シート
１５，４１  底部
１７，１９，２１，２３  側壁部
２５  収納口
２７  フレーム
３１，５５  折返し部
３３，３３-1，３３-2  内蓋
３５，３９  ヒンジ部材
３７，３７-1，３７-2  外蓋
４３，４５，４７，４９  周壁部
５１  収納部
５３，７７，９３  取っ手
５７，６１，８５，８７，８９，９５，１０３，１０５  係合部
５９  スカート部
６３  凸部
６５  凹部
６７  止め具
６９，７１，９９，１０１  面ファスナー
７３  ショルダーベルト
７５，９１，１０７  釣り用バッグ
７９  握持部
８１  支持杆
９７  突片
【図１】
2008206432.tif 000003
【図２】
2008206432.tif 000004
【図３】
2008206432.tif 000005
【図４】
2008206432.tif 000006
【図５】
2008206432.tif 000007
【図６】
2008206432.tif 000008
【図７】
2008206432.tif 000009
【図８】
2008206432.tif 000010
【図９】
2008206432.tif 000011
【図１０】
2008206432.tif 000012
【図１１】
2008206432.tif 000013
【図１２】
2008206432.tif 000014
【図１３】
2008206432.tif 000015
【図１４】
2008206432.tif 000016
【図１５】
2008206432.tif 000017
【図１６】
2008206432.tif 000018
【図１７】
2008206432.tif 000019